(57)【特許請求の範囲】
【請求項１】
レンズを保持する保持部材を備えた移動体と、
バネ部材を介して前記移動体を光軸方向に移動可能に支持する支持体と、
前記移動体を光軸方向に駆動するコイルと、を有し、
前記バネ部材は、前記移動体に取り付けられる移動体側取り付け部と、前記支持体に取り付けられる支持体側取り付け部と、前記移動体を付勢するバネ部と、前記移動体取り付け部と前記バネ部をつなぐ連結部と、を備え、
前記移動体のうち光軸と直交する端面における外周縁において、当該外周縁は、光軸方向に先の細いテーパ形状となるように面取りされた傾斜面が形成され、
前記傾斜面は、対向する前記移動体側取り付け部の面とで隙間が形成され、前記バネ部材が光軸方向に変位した際、前記バネ部材を接触させて載置することができることを特徴とするレンズ駆動装置。
【請求項２】
前記外周縁の全てが面取りされていることを特徴とする請求項１記載のレンズ駆動装置。
【請求項３】
前記面取りされている端面は、前記移動体のうち被写体側の端面であることを特徴とする請求項１又は２記載のレンズ駆動装置。
【請求項４】
前記テーパ形状となった外周縁に、更に面取りされていることを特徴とする請求項３記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている。
【０００４】
近年、携帯電話搭載カメラのセンサの高画素数化に伴って、高画質の画像撮影を行うためにオートフォーカスの必要性が増している。そのため、上述したような磁気駆動機構（レンズアクチュエータ）への需要が高まってきている（例えば特許文献１参照）。
【０００５】
特許文献１に開示されたレンズ駆動装置では、複数枚のレンズ組が組み込まれた移動体と、この移動体を移動可能に支持する支持体と、移動体を駆動する駆動機構とを有しており、さらに、移動体に板バネを設けて、移動体の光軸方向の移動を規制している。すなわち、コイルの非通電時において、落下等の外乱により揺れや衝撃をうけることがあるが、衝撃等を受けた場合でも、移動体が大きく変位することがなく、これを防止して耐衝撃性を高めている。板バネは、移動体の被写体側端面と撮像素子側端面にそれぞれ取り付けられ、各板バネには、移動体側に取り付けられる移動体側取り付け部と、支持体側に取り付けられる支持部側取り付け部と、これら取り付け部を連結する３本のバネ部とを有している。そして、レンズ駆動装置は、この板バネによるバネ力とコイルに流れる電流に基づく電磁力とが釣り合ったところで、移動体を停止させることによって、オートフォーカス機能を実現している。
【０００６】
【特許文献１】特開２００７−９４３６４号（図１）
【発明の開示】
【発明が解決しようとする課題】
【０００７】
図６（ａ）は、従来の板バネと移動体との関係を模式的に示したものである。この場合、板バネ２００において、移動体側取り付け部２０１は、移動体３００の端面３０１に固定されているので、移動体３００が光軸方向に移動した際、板バネ２００のバネ部２０２は、移動体３００の角部３０２で屈曲（Ｙの位置）するようになっている。このため、板バネ２００は、Ｙの位置で応力等のストレスが集中し易く、変形や損傷が生じるおそれがあり、板バネ２００の塑性変形を招くという問題がある。
【０００８】
また、上述したカメラ付き携帯電話機に用いられるレンズ駆動装置においては、更なる小型、薄型化となってきているので、移動体と支持体との径方向における間隔は狭くなってきている。そのため、板バネ２００のバネ部２０２、すなわち、変位する（撓み）領域（長さ）は短くなるので、角部３０２での屈曲する角度はさらに急となり、板バネの劣化（寿命）をさらに早めるという問題がある。
【０００９】
本発明は、以上の点に鑑みてなされたものであり、その目的は、バネ部材の劣化を防ぐことが可能なレンズ駆動装置を提供することにある。
【課題を解決するための手段】
【００１０】
以上のような課題を解決するために、本発明は、以下のものを提供する。
【００１１】
（１）  レンズを保持する保持部材を備えた移動体と、バネ部材を介して前記移動体を光軸方向に移動可能に支持する支持体と、前記移動体を光軸方向に駆動するコイルと、を有し、前記バネ部材は、前記移動体に取り付けられる移動体側取り付け部と、前記支持体に取り付けられる支持体側取り付け部と、前記移動体を付勢するバネ部と、前記移動体取り付け部と前記バネ部をつなぐ連結部と、を備え、前記移動体のうち光軸と直交する端面における外周縁において、当該外周縁は、光軸方向に先の細いテーパ形状となるように面取りされた傾斜面が形成され、前記傾斜面は、対向する前記移動体側取り付け部の面とで隙間が形成され、前記バネ部材が光軸方向に変位した際、前記傾斜面に前記バネ部材を接触させて載置することを特徴とするレンズ駆動装置。
【００１２】
本発明によれば、移動体と、バネ部材を介して移動体を光軸方向に移動可能に支持する支持体と、コイルと、を有するレンズ駆動装置で、バネ部材は、移動体に取り付けられる移動体側取り付け部と、支持体に取り付けられる支持体側取り付け部と、移動体を付勢するバネ部と、移動体側取り付け部と前記バネ部をつなぐ連結部と、を備えている。そして、移動体のうち光軸と直交する端面における外周縁において、少なくとも上述した連結部の近傍で面取りされていることとしたので、バネ部材の劣化を防ぐことができる。
【００１３】
すなわち、連結部の近傍で面取りされていれば、移動体が光軸方向に移動したときであっても、バネ部材の屈曲する位置、すなわち、移動体の角部の位置が移動体の角部の位置がより内側（光軸側）となるので、バネ部材の変位する（撓み）領域（長さ）は従来に比べて長くなるので、屈曲する角度は緩やかになる。このため、バネ部材の塑性変形を抑制することができる。
【００１４】
ここで、「面取り」については、その形状や種類、面取り角度の如何を問わない。また、移動体のうち光軸と直交する端面（被写体側の端面であってもよいし、撮像素子側の端面であってもよい）における外周縁で、全周囲の縁を面取りしてもよいし、その一部の縁を面取りしてもよい。
【００１５】
（２）  前記外周縁の全てが面取りされていることを特徴とするレンズ駆動装置。
【００１６】
本発明によれば、上述した外周縁の全てが面取りされていることとしたので、面取り形成工程の簡易化を図った上で、バネ部材の劣化を防いだり、移動体のストローク量を増やしたりすることができる。
【００１７】
（３）  前記面取りされている端面は、前記移動体のうち被写体側の端面であることを特徴とするレンズ駆動装置。
【００１８】
本発明によれば、上述した面取りされている端面は、移動体のうち被写体側の端面であることとしたので、通常撮影時には移動体は撮像素子に最も近い箇所に位置し、マクロ撮影時には移動体は被写体に最も近い箇所に位置するレンズ駆動装置において、バネ部材の劣化防止ができる。
【００１９】
また、レンズ駆動装置の外周縁は、光軸方向に先の細いテーパ形状となるように面取りされていることを特徴とする。
【００２０】
本発明によれば、上述した外周縁は、光軸方向に先の細いテーパ形状（移動体の被写体側の端面から撮像素子側の端面に向かって傾斜する傾斜面）となるように面取りされているので、移動体を接写撮影（マクロ撮影）位置、すなわち、被写体側に近づいた位置に移動した際、バネ部材が移動体の角部の位置で従来のように、急に屈曲した形状とはならない。したがって、移動体のストローク量を確保または増やすことができ、ひいてはマクロ撮影機能を向上させることができる。
【００２１】
（４）  前記テーパ形状となった外周縁に、更に面取りされていることを特徴とするレンズ駆動装置。
【００２２】
本発明によれば、傾斜面の角部を更に面取りすることによって、屈曲する位置にかかる圧力を分散させ小さくし、バネ部材の更なる劣化防止に資することができる。
【００２３】
なお、レンズ駆動装置の外周縁は、Ｒ面形状となるように面取りされていてもよい。
【００２４】
本発明によれば、上述した外周縁は、Ｒ面形状となるように面取りされているので、バネ部材において屈曲する位置の悪影響を最小限にすることができ、屈曲する位置の存在に起因するバネ部材の劣化を防ぐことができる。
【発明の効果】
【００２５】
本発明に係るレンズ駆動装置によれば、移動体において、バネ部材が取り付けられる所定箇所が面取りされていることとしたので、バネ部材が変位した際、その屈曲する位置に加わる力を従来に比べて低減し、バネ部材の劣化を防ぐことができる。
【発明を実施するための最良の形態】
【００２６】
以下、本発明を実施するための最良の形態について、図面を参照しながら説明する。
【００２７】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００２８】
図１及び図２において、レンズ駆動装置１は、バックヨーク１１と、カバー１２と、スリーブ１３と、第１の板バネ１４と、第２の板バネ１５と、磁気部材としてのワイヤースプリング１６と、マグネット１７と、コイル１８と、台座１９と、を有している。なお、レンズ駆動装置１は、スリーブ１３を光軸Ｌの方向に沿って、被写体（撮像対象）に近づくＡ方向（前側）、被写体とは反対側（撮像素子側）に近づくＢ方向（後側）の双方向に移動させるものである（図１参照）。また、スリーブ１３によって保持されるレンズは、説明の便宜上、図示を省略している。また、「保持部材」の一例としてのスリーブ１３は、ワイヤースプリング１６等と併せて「移動体」を構成する。また、カバー１２、バックヨーク１１，台座１９は、第1の板バネ１４、第２の板バネ１５を介して、スリーブ１３等を光軸方向に移動可能に支持する「支持体」の一例として機能する。
【００２９】
バックヨーク１１は、例えば鋼板などの強磁性板から構成され、角筒状を呈している。また、バックヨーク１１は、レンズ駆動装置１の側面で露出し、その側面部を構成している。なお、本実施の形態では、バックヨーク１１は側面部を覆うケース体としての機能を兼用している。カバー１２は、バックヨーク１１と同様に例えば鋼板などの強磁性体で構成されて磁気回路となるヨークとして機能している。また、支持体の被写体側を覆うものであって、その中央には、被写体からの反射光をレンズに取り込むための円形の入射窓が形成されている。台座１９は、像側で撮像素子（図示せず）を保持するものである。
【００３０】
コイル１８は、円環状の第１のコイル１８１及び第２のコイル１８２から構成され、移動体を構成する略円環状のスリーブに光軸Lの方向に２段に巻きつけられて配置されている。このコイル１８は、移動体を光軸方向に駆動する機能を有する。
【００３１】
スリーブ１３は円筒状しており、角筒状したバックヨーク１１の内側に収納されており、それぞれの形状の違いから、バックヨーク１１の内周面の４箇所の角部分には、スペースが形成されている。そこで、マグネット１７は、第１のコイル１８１及び第２のコイル１８２に対して外周側で対向し、バックヨーク１１の内周面のうち４箇所の角部分に固定される。
【００３２】
マグネット１７は、図２に示すように８個のマグネット片からなり、いずれのマグネット片においても内面と外面とが異なる極に着磁されている。また、前側、後側それぞれ４個のマグネット１７１、１７２では、例えば、前側のマグネット１７１（図示上側）では内面がＮ極に着磁され、外面がＳ極に着磁され、後側のマグネット１７２（図示下側）では、内面がＳ極に着磁され、外面がＮ極に着磁されている。さらに、前側のマグネット１７１は、第１コイル１８１に対向するように配置され、後側のマグネット１７２は第２コイル１８２に対向するように配置される。
【００３３】
このように、バックヨーク１１、カバー１２、マグネット１７、およびコイル１８によって磁気回路が形成され、この状態でコイルに電流が流れると電磁力（磁気的吸引力）が発生し、この電磁力によってスリーブ１３（移動体）が光軸Ｌ方向に駆動される。概略では、磁気回路はマグネット１７で発生した磁束をバックヨーク１１、カバー１２、コイル１８を通して対向側のマグネット１２の反対極に流すため、磁束漏洩が少なく、効率を良くすることができる。換言すれば、上記磁気回路を通って、マグネット１７の両端面の間を流れる磁束の強度を高めることができ、コイル１８に惹起される起電力を高くできるようにしている。
【００３４】
第１の板バネ１４及び第２の板バネ１５は、支持体と移動体との間に取り付けられ、移動体の光軸方向への移動に対して付勢するように作用している。なお、第１の板バネ１４及び第２の板バネ１５は、双方とも金属製の薄板から形成されており、光軸Ｌの方向における厚さを同じにしている。これにより、生産性を高めることができる。
【００３５】
本実施の形態では、第１の板バネ１４（第２の板バネ１５）は、スリーブ１３の光軸方向の前端（後端）にそれぞれ設けられている。第１の板バネ１４（第２の板バネ１５）は、それぞれ、最も内側のリング状部分、移動体側取り付け部１４２に、スリーブ１３の被写体側端（撮像素子側端）が載置されるようになっている。外側の支持体側取付け部１４１はカバー１２（台座１９）に取付けられ、上記リング状部分と取付け部とを連結する複数のバネ部１４３及び連結部１４４ａ〜１４４ｄが形成されている。そして、スリーブ１３は、周囲に配置された複数のバネ部において発生する弾性力を通じて、光軸Ｌの方向へ付勢される。
また、第２の板バネ１５はスリーブ１３の光軸方向の後端に、台座１９に設けられている。そして、第２の板バネ１５は２つのバネ片に分割されており、電気的に絶縁状態あるが、２つのバネ片を合わせると、第１の板バネ１４とほぼ同一形状を有している。なお、第２の板バネ１５について、ここでの詳細な説明は省略する。
【００３６】
バックヨーク１１は、第１のコイル１８１及び第２のコイル１８２が配置されている領域の光軸Ｌの方向の寸法、および、マグネット１７の光軸Ｌの方向の寸法よりも大きくなっているため、マグネット１７と第１のコイル１８１との間に構成される磁路、及び、マグネット１７と第２のコイル１８２との間に構成される磁路からの漏れ磁束を少なくすることができ、その結果、スリーブ１３の移動量と、第１のコイル１８１及び第２のコイル１８２に流す電流との間のリニアリティの向上に寄与できる。
【００３７】
レンズ駆動装置１は、円環状のワイヤースプリング（磁性部材）１６を備えている。ワイヤースプリング１６は、スリーブ１３の被写体側端部であって、第1の板バネ１４の近傍に配置されている。これにより、ワイヤースプリング１６とマグネット１７との間に作用する磁気吸引力により、スリーブ１３に対して光軸Ｌの方向の付勢力を印加する。このため、スリーブ１３がコイル１８への非通電時に自重で変位することを防止することができ、ひいてはスリーブ１３に所望の姿勢を維持させることができる。
【００３８】
なお、ワイヤースプリング１６とマグネット１７との磁気吸引力だけではなく、第１の板バネ１４、第２の板バネ１５の付勢力をいっしょに利用してもよい。すなわち、レンズ駆動装置１のコイル１８への非通電時（スリーブ１３が通常撮影位置にあるとき）でも、第１の板バネ１４、第２の板バネ１５は、スリーブ１３を撮像素子側に向って付勢力を付与して、スリーブ１３を台座１９（支持体１１）に押さえつけながら当接するようにしてもよい。
【００３９】
スリーブ１３は、光軸方向を軸方向として形成され、コイル１８が巻かれる第１のコイル巻回部１３１及び第２のコイル巻回部１３２（いずれも凹部形状）と、コイル１８を案内する第１のコイルガイド部１３３，第２のコイルガイド部１３４，及び第３のコイルガイド部１３５と、を有している（図２参照）。
【００４０】
なお、本実施の形態では、マグネット１７１の内面がＮ極に、マグネット１７２の内面がＳ極に着磁されているので、第1のコイル巻回部１３１と第２のコイル巻回部１３２に巻回される第1のコイル１８１、第２のコイル１８２の巻回方向は互いに逆方向となっている。すなわち、コイル１８に電流を供給した際、発生する力（推力）は同じ方向となるようにしている。
【００４１】
本実施形態に係るレンズ駆動装置１では、第１の板バネ１４が取り付けられるスリーブ１３（特に、そのうち第１のコイルガイド部１３３）の形状が特徴的である。以下、図３〜６を用いて詳述する。
【００４２】
［第1の板バネ、スリーブの形状］
図３は、第１の板バネ１４がカバー１２に取り付けられたときの様子を示す斜視図である。図４は、第１の板バネ１４がマグネット１７１に取り付けられている（溶着されている）様子を示す図である。図５は、図４からマグネット１７と台座１９を取り除いた図である。
【００４３】
なお、図３は撮像素子側から見た図である。また、図５（ａ）は斜視図であって、図５（ｂ）は側面図であり、両者とも、図４においてＸ方向から見たときの図である。
【００４４】
図３に示すように、第１の板バネ１４は、カバー１２に取り付けられる支持体側取り付け部１４１と、スリーブ１３（第１のコイルガイド部１３３の前端面）に取り付けられる移動体側取り付け部１４２と、これら支持体側取り付け部１４１と移動体側取り付け部１４２とをつなぎ、バネ性を有し、
スリーブ１３を付勢する４本のバネ部１４３と、移動体側取り付け部１４２とバネ部１４３をつなぐ連結部１４４（図３では連結部１４４ａ〜１４４ｄ）と、から構成されている。
【００４５】
なお、本実施の形態では、バネ部１４３は、支持体側取り付け部１４１の角部に相当する領域で光軸Ｌ方向と直交する面内方向に対する複数の湾曲部をもって蛇行するとともに移動体側取り付け部１４２の円弧に沿って延びる線状部をもった形状となっている。
【００４６】
支持体側取り付け部１４１には、位置決め穴１４１ａが形成され、この位置決め穴１４１ａにカバー１２の突起体１２１が挿入され溶着等によって、支持体側取り付け部１４１とカバー１２が位置決めされるようになっている。また、図３に示すように、上述した連結部１４４ａ〜１４４ｄは、光軸Ｌ（中心）に対して対称的に配置されている。さらに、連結部１４４ａ〜１４４ｄは、バネ部１４３の幅よりも幅広に形成され、強度を高めている。
【００４７】
ここで、図５（ａ）及び図５（ｂ）に示すように、スリーブ１３（第１のコイルガイド部１３３）のうち、光軸と直交する端面（第１のコイルガイド部１３３の前端面）における外周縁において、その全てが面取りされている。すなわち、第１のコイルガイド部１３３の角部１３３ｂが面取りされたことで、傾斜面１３３ａが形成されている。すなわち、図示のとおり、連結部１４４ａ〜１４４ｄの近傍で面取りされていれば、移動体としてのスリーブ１３（第1のコイルガイド部１３３）が光軸Ｌ方向に移動したときであっても、第１の板バネ１４の屈曲する位置、すなわち、スリーブ１３の角部が従来に比べてスリーブ１３の内側となる。このため、第１の板バネ１４の変位する（撓み）領域（長さ）は従来に比べて長くなるので、屈曲する角度は緩やかになる。このため、第1の板バネ１４の塑性変形を抑制することができる。
【００４８】
さらに、図示のとおり、第１のコイルガイド部１３３は、被写体側端面の厚みが第１のコイル１８１が巻回されている側の厚みよりも薄くなっている。これにより、移動体側取り付け部１４２の一部、すなわち、傾斜面１３３ａと対向する面は隙間が形成されており、第1の板バネ１４が変位（撓み）した際、移動側取り付け部１４２の一部、バネ部１４３、連結部１４４ａ〜１４４ｄが撓みこめるような自由度を持たせることができるようになっている。
【００４９】
傾斜面１３３ａに関しては、傾斜面１３３ａの光軸方向の高さを、スリーブ１３の移動量よりは大きくし、スリーブ１３と接触しないようにしてもよい。
【００５０】
さらに、第１の板バネ１４が変位した際、バネ部１４３、連結部１４４ａ〜１４４ｄの面を傾斜面１３３ａに接触させて載置するようにしてもよい。換言すれば、バネ部１４４、連結部１４４ａ〜１４４ｄが接写撮影時での変位（撓む）した際の形状に沿うような面形状に設計してもよい。これにより、第1の板バネ１４が変位した際、第１の板バネ１４の変位した面（傾斜面１３３ａに対向する面）が傾斜面１３３ａ全体に載置するようにし、屈曲する第1の板バネ１４を支持するようにし、第１の板バネ１４にかかる負荷を軽減するようにしている。
【００５１】
また、第１の板バネ１４が、傾斜面１３３ａの角部１３３ｂに当たり、屈曲が生じた場合でも、傾斜面１３３ａの角部１３３ｂは図示のとおり鈍角、すなわち、従来に比べて緩やかな傾斜であるので、その屈曲する位置に加わる力は緩和され、すなわち、集中することなく、分散される。
【００５２】
上述した実施の形態では、移動体としてのスリーブ１３に、光軸Ｌの方向に先の細いテーパ形状となるような傾斜面１３３ａを形成したが、本発明はこれに限定されるものではない。例えば、図６（ｃ）、（ｄ）は、本発明の他の実施の形態を模式化した説明図である。なお、図６（ａ）は、従来のレンズ駆動装置について説明し、図６（ｂ）は本実施の形態をそれぞれ模式化した説明図である。
【００５３】
上述したとおり、図６（ａ）に示す従来のレンズ駆動装置は、移動体３００の角部３０２は直角形状をしており、移動体３００が光軸方向被写体側（図示上側）に移動すると、バネ部（連結部を含め）２０２と、移動体３００の前端面における外周縁、角部３０２において、屈曲する位置（Ｙの位置）に大きな力が集中して加わっていた。
【００５４】
これに対し、本実施形態に係るレンズ駆動装置１によれば、その外周縁が面取りされているので、第1の板バネ１４が屈曲する位置Ｚは図６（ａ）に示す位置Ｙよりもさらに第１のコイルガイド部１３３の内側（光軸Ｌ側）となっており、第１の板バネ１４の変位する（撓み）領域（長さ）は従来に比べて長くなるので、屈曲する角度は緩やかになる（図６（ｂ）参照）。また、第1の板バネ１４が屈曲する位置Ｚでは、第1のコイルガイド部１３３の傾斜面１３３ａは鈍角であり、その屈曲する位置Ｚに加わる力は、図６（ａ）に示す屈曲する位置Ｙに加わる力と比べると分散され小さくなる。したがって、第１の板バネ１４の劣化を防ぐことができる。
【００５５】
なお、本実施形態では、移動体としてのスリーブ１３のうち被写体側の端面（図５（ｂ）でいう上端面）だけでなく、スリーブ１３のうち撮像素子側の端面（図５（ｂ）でいう下端面）についても面取りしているが、いずれか片方のみであってもよい。また、本実施形態では、具体的な面取り態様として、平面形状の傾斜面１３３ａとなるようにしているが、例えば図６（ｃ）に示すように、Ｒ面形状となるように面取りしても構わない。さらに、本実施形態では、製造工程の容易さを考慮して、第１のコイルガイド部１３３の前端面における外周縁の全てを面取りすることとしたが、例えば図６（ｄ）に示すように、少なくとも、連結部１４４ａ〜１４４ｄの近傍で面取りされていればよい。
【００５６】
一方、面取りの仕方については、例えば、スリーブ１３を製造する際に、金型の該当箇所に面取りをつけることができる。また、略円筒形状のスリーブ１３を製造した後、第１のコイルガイド部１３３の前端面における外周縁を斜めに削って、面取りをつけることもできる。
【００５７】
［基本動作］
本実施形態に係るレンズ駆動装置１において、移動体は、通常（第１のコイル１８１及び第２のコイル１８２の非通電時）は、撮像素子側（像側）に位置する。このとき、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００５８】
このような状態において、第１のコイル１８１及び第２のコイル１８２に電流を流すと、第１のコイル１８１及び第２のコイル１８２は、それぞれ上向き（前側）の電磁力を受けることになる。これにより、第１のコイル１８１及び第２のコイル１８２並びにスリーブ１３は、被写体側（前側）に移動し始める。
【００５９】
このとき、第１の板バネ１４とスリーブ１３の前端との間、及び第２の板バネ１５とスリーブ１３の後端との間には、それぞれスリーブ１３の移動を規制する弾性力が発生する。このため、スリーブ１３を前側に移動させようとする電磁力と、スリーブ１３の移動を規制する弾性力が釣り合ったとき、スリーブ１３は停止する。また、第１のコイル１８１及び第２のコイル１８２に、逆方向の電流を流すと、第１のコイル１８１及び第２のコイル１８２は、それぞれ下向き（後側）の電磁力を受けることになる。
【００６０】
その際、第１のコイル１８１及び第２のコイル１８２に流す電流量と、第１の板バネ１４及び第２の板バネ１５によってスリーブ１３に働く弾性力を調整することで、スリーブ１３（移動体）を所望の位置に停止させることができる。なお、電磁力と弾性力との釣り合いを利用してスリーブ１３を停止させることで、衝突音の発生を防ぐことができるようになっている。
【００６１】
［実施形態の主な効果］
以上説明したように、本実施形態に係るレンズ駆動装置１によれば、連結部１４４ａ〜１４４ｄの近傍で面取りされていれば、スリーブ１３が光軸Ｌの方向に移動したときであっても、第１の板バネ１４の屈曲する位置、すなわち、移動体の角部の位置がスリーブ１３（第１のコイルガイド部１３３）の内側（光軸Ｌ側）となるので、第1の板バネ１４の変位する（撓み）領域（長さ）は従来に比べて長くなるので、屈曲する角度は緩やかになる。このため、第１の板バネ１４の塑性変形を抑制することができる。（図６（ｂ）参照）。
【００６２】
また、スリーブ１３を接写撮影（マクロ撮影）位置、すなわち、被写体側に近づいた位置に移動した際、スリーブ１３に傾斜面１３３ａが形成されているので、第1の板バネ１４がスリーブ１３の角部１３３ｂの位置で急に屈曲した形状とはならない。したがって、スリーブ１３のストローク量を増やすことができ、ひいてはマクロ撮影機能を向上させることができる。
【００６３】
また、屈曲する位置Ｚに加わる力が、従来に比べて分散され緩和されるので、第１の板バネ１４の劣化を防止することができる。また、レンズ駆動装置１では、第１のコイルガイド部１３３の前端面における外周縁の全てを面取りすることとしているので、製造工程の容易化に資することができる（上述したように金型を用いる場合には、その金型が作りやすくなる）。
【００６４】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００６５】
本発明に係るレンズ駆動装置は、バネ部材の劣化を防ぎことが可能なものとして有用である。
【図面の簡単な説明】
【００６６】
【図１】本発明の実施の形態に係るレンズ駆動装置の外観構成を示す斜視図である。
【図２】本発明の実施の形態に係るレンズ駆動装置の機械構成を示す分解斜視図である。
【図３】第１の板バネがカバーに取り付けられたときの様子を示す斜視図である第１の板バネがマグネットに取り付けられている（溶着されている）様子を示す図である。
【図４】第１の板バネがマグネットに取り付けられている（溶着されている）様子を示す図である。
【図５】図４からマグネットと台座を取り除いた図である。
【図６】光軸の方向に先の細いテーパ形状となるような傾斜面を形成することによって、屈曲点が生じ難くなることを模式的に説明するための説明図である。
【符号の説明】
【００６７】
１  レンズ駆動装置
１１  バックヨーク
１２  カバー
１３  スリーブ
１３３ａ  傾斜面
１４  第１の板バネ
１４１  支持体側取り付け部
１４２  移動体側取り付け部
１４３  バネ部
１４４ａ〜１４４ｄ  連結部
１５  第２の板バネ
１６  ワイヤースプリング
１７  マグネット
１８  コイル
１９  台座
【図１】
0005146955.tif 000002
【図２】
0005146955.tif 000003
【図３】
0005146955.tif 000004
【図４】
0005146955.tif 000005
【図５】
0005146955.tif 000006
【図６】
0005146955.tif 000007